【事件の表示】
　特許第３０８８８０４号「皮膚洗浄料」の請求項１ないし３に係る特許に対する特許異議の申立てについて、次のとおり決定する。
【結　論】
　訂正を認める。
　特許第３０８８８０４号の請求項１に係る特許を維持する。
【理　由】
１．手続の経緯
　本件特許第３０８８８０４号発明は、平成３年９月２７日（優先権主張、平成２年９月２８日、３件、日本国）に特許出願され、平成１２年７月１４日にその特許権の設定登録がなされ、その後、比嘉道子及び岡本員明より特許異議申立がなされ、当審より取消理由通知がなされ、その指定期間内である平成１３年７月３１日に訂正請求がなされたものである。
　　
２．訂正の適否についての判断
(ａ) 訂正の内容
訂正事項１
特許請求の範囲の
「【請求項１】（Ｉ）陰イオン性界面活性剤の一種又は二種以上と、（II）両性界面活性剤及び半極性界面活性剤からなる群から選ばれる一種又は二種以上と、（III）下記一般式
Ｒ1ＣＯＯＨ
（ここでＲ1は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを含有することを特徴とする皮膚洗浄料。
【請求項２】請求項（１）において、高級脂肪酸と、陰イオン性界面活性剤＋両性界面活性剤及び半極性界面活性剤からなる群から選ばれる一種又は二種以上との重量比（III）／（Ｉ）＋（II）が０.００２〜１である皮膚洗浄料。
【請求項３】請求項（１）において、陰イオン性界面活性剤と、両性界面活性剤及び半極性界面活性剤からなる群から選ばれる一種又は二種以上との総配合量（Ｉ）＋（II）が５〜５０重量％、高級脂肪酸の配合量（III）が０.１〜５重量％である皮膚洗浄料。」を
「【請求項１】（Ｉ）陰イオン性界面活性剤の一種又は二種以上と、（II）両性界面活性剤及び半極性界面活性剤からなる群から選ばれる一種又は二種以上と、（III）下記一般式
Ｒ1ＣＯＯＨ
（ここでＲ1は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを含有し、
　高級脂肪酸と、陰イオン性界面活性剤＋両性界面活性剤及び半極性界面活性剤からなる群から選ばれる一種又は二種以上との重量比（III）／（Ｉ）＋（II）が０.０５〜０.５であり、陰イオン性界面活性剤と、両性界面活性剤及び半極性界面活性剤からなる群から選ばれる一種又は二種以上との総配合量（Ｉ）＋（II）が８〜３０重量％であり、高級脂肪酸の配合量（III）が０.５〜３重量％であることを特徴とする皮膚洗浄料。」と訂正し、
訂正事項２
　願書に添付された明細書（以下、特許明細書という。)【０００５】（特許掲載公報第３欄３３〜４３行）の
「すなわち本発明の請求項（１）は、（Ｉ）陰イオン性界面活性剤の一種又は二種以上と、（II）両性界面活性剤及び半極性界面活性剤からなる群から選ばれる一種又は二種以上と、（III）下記一般式
Ｒ1ＣＯＯＨ
（ここでＲ1は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを含有することを特徴とする皮膚洗浄料である。」を、
「すなわち本発明の請求項（１）は、（Ｉ）陰イオン性界面活性剤の一種又は二種以上と、（II）両性界面活性剤及び半極性界面活性剤からなる群から選ばれる一種又は二種以上と、（III）下記一般式
Ｒ1ＣＯＯＨ
（ここでＲ1は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを含有し、
　高級脂肪酸と、陰イオン性界面活性剤＋両性界面活性剤及び半極性界面活性剤からなる群から選ばれる一種又は二種以上との重量比（III）／（Ｉ）＋（II）が０.０５〜０.５であり、陰イオン性界面活性剤と、両性界面活性剤及び半極性界面活性剤からなる群から選ばれる一種又は二種以上との総配合量（Ｉ）＋（II）が８〜３０重量％であり、高級脂肪酸の配合量（III）が０.５〜３重量％であることを特徴とする皮膚洗浄料である。」
と訂正するものである。
　　
(ｂ) 訂正の目的の適否、拡張・変更の存否、及び新規事項の追加の有無　　
　上記訂正事項１は、請求項１に記載の皮膚洗浄料の成分（Ｉ）、（II）、（III）の配合割合等を、特許明細書の【００２５】の「本発明の高級脂肪酸と、陰イオン性界面活性剤＋両性界面活性剤及び半極性界面活性剤からなる群から選ばれる一種又は二種以上との重量比（III）／（Ｉ）＋（II）は、０.００２〜１範囲、好ましくは０.０５〜０.５の範囲である。」及び【００２３】の「本発明の陰イオン性界面活性剤と、両性界面活性剤及び半極性界面活性剤からなる群から選ばれる一種又は二種以上との総配合量（Ｉ）＋（II）は、皮膚洗浄料全量中、５〜５０重量％、好ましくは８〜３０重量％である。」と記載されている事項に限定したものであるから、特許明細書に記載された範囲内のものであって、特許請求の範囲の減縮に該当し、
　訂正事項 ２は、特許請求の範囲の訂正に伴って、発明の詳細な説明の欄の記載を整合させたものであることから、特許明細書に記載された範囲内のものであって、明りょうでない記載の釈明に該当する。
　また、これらの訂正は、実質上特許請求の範囲を拡張し、又は変更するものでもない。
　　
　以上のとおりであるから、上記訂正請求は、特許法第１２０条の４第２項及び同条第３項で準用する第１２６条第２〜３項の規定に適合するので、当該訂正を認める。
　　
３．特許異議申立についての判断　
(ａ)本件請求項１に係る発明（以下、本件発明という。）は、訂正された特許明細書の記載からみて、特許請求の範囲に記載された上記のとおりのものと認められる。
　　
(ｂ)異議申立の概要
　異議申立人比嘉道子は、甲第１〜２号証を提出して、訂正前の本件請求項１〜３に係る発明は、甲第１号証に記載された発明であるから特許法第２９条第１項第３号の規定に違反し、また、甲第１〜２号証に記載された発明に基づいて当業者が容易に発明をすることできたものであるから、同法第２９条第２項の規定に違反してされたものであると主張している。また、異議申立人岡本員明は、甲第１〜５号証を提出して、訂正前の本件請求項１〜３に係る発明は甲第１〜５号証に記載されて発明に基いて当業者が容易に発明をすることができたものであるから、同法第２９条第２項の規定に違反してされたものであると主張している。
　
(ｃ)特許法第２９条第１項第３号について
　異議申立人比嘉道子が提出した甲第１号証（「COSMETIC AND TOILETRY FORMULATIONS Second Edition」Ernest W. Flick著、NOYES PUBLICATIONS,(1989)以下、刊行物１という。）の７１２頁には、WITCONATE AOS（Ｃ14−16オレフィンスルホン酸Ｎａ）１９.０重量％、オレイン酸０.４重量％、Lexaine C(９１４頁の記載からココアミドプロピルベタインであることは明らかである。)２.２重量％含有するコールドブレンド液状ハンドソープが記載されている。
　これらの成分は、Ｃ14−16オレフィンスルホン酸Ｎａが陰イオン性界面活性剤であり、ココアミドプロピルベタインが両性界面活性剤であり、オレイン酸がＣＨ3(ＣＨ2)7ＣＨ＝ＣＨ(ＣＨ2)7ＣＯＯＨである不飽和高級脂肪酸であることは明らかである。そして、ハンドソープは皮膚洗浄料であることは明らかであり、陰イオン性界面活性剤と両性界面活性剤との総配合量（以下、単に(Ｉ)＋(II)と表す。）は１９＋２.２＝２１.２重量％、該高級脂肪酸と界面活性剤との重量比（以下、(III)／(Ｉ)＋(II)と表す。）は、０.４／（１９＋２.２)＝０.０１９と算定され、該高級脂肪酸の配合量（以下、（III）と表す。）は０.４重量％である。そうすると、刊行物１には、陰イオン性界面活性剤、両性界面活性剤とＲ1が炭素数１７の不飽和炭化水素を意味する高級脂肪酸を含有し、(III)／(Ｉ)＋(II)が０.０１９、(Ｉ)＋(II)が２１.２重量％、(III)が０.４重量％である皮膚洗浄料が記載されているものと認められる。
　したがって、本件発明における(III)／(Ｉ)＋(II)及び(III)はそれぞれ０.０５〜０.５、０.５〜３重量％であり、刊行物１のものとは相違しているから、本件発明は刊行物１に記載されたものではない。
　       
(ｄ)特許法第２９条第２項について
　本件発明と、刊行物１に記載の皮膚洗浄料とを対比すると、上記(ｃ)に示したように、(III)／(Ｉ)＋(II)及び(III)が、前者はそれぞれ０.０５〜０.５、０.５〜３重量％であるのに対して、後者は０.０１９、０.４重量％と低い値である点で相違し、その余の点については一致する。
　そこで、この相違点について検討する。
　比嘉道子が提出した甲第２号証（特開平２−２１８７９７号公報、以下、刊行物２という。）には、低刺激性洗浄剤組成物に係る発明が記載されており、実施例７に両性界面活性剤であるＮ−ミリストイル−Ｎ´−カルボキシメチル−Ｎ´−（２−ヒドロキシエチル）エチレンジアミンＴＥＡ塩２５重量％、陰イオン性界面活性剤であるポリオキシエチレン(3)ヤシ油アルキルスルホコハク酸ジナトリウム２５重量％、及びラウリン酸５重量％を含有する洗顔フォームと、実施例９に、両性界面活性剤である３−（Ｎ−ラウロイルアミノエチル−Ｎ−ヒドロキシエチル）アミノ−２−ヒドロキシ−１−プロパンスルホン酸ＴＥＡ塩１０重量％、陰イオン性界面活性剤であるポリオキシエチレン(5)ラウリルスルホコハク酸ジナトリウム１０重量％、ラウリン酸２重量％、及び半極性界面活性剤であるラウリルジメチルアミンオキシド１重量％を含有する抗フケシャンプーの処方例が記載されている。
　これらの処方におけるラウリン酸は直鎖の脂肪酸であるから、Ｒ1の定義から明らかなように、不飽和脂肪酸又は分岐鎖脂肪酸である本件発明における高級脂肪酸に包含されるものではない。
　岡本員明が提出した甲第１号証（特公昭４３−８２４６号公報、以下、刊行物３という。）には、アスパラギン誘導体の製造方法に関する発明が記載され、その参考例７にＮ−（Ｎ´,Ｎ´−ジメチルアミノプロピル）−Ｎ2−アルキル(獣脂)アスパラギンのナトリウム塩０.５ｇ、１００％テクニカルアンモニウムラウリルサルフェート１２ｇ、オレイン酸０.２ｇを含有する洗髪剤の処方が記載されている。アスパラギン酸誘導体は両性界面活性剤、上記ラウリルサルフェートは陰イオン性界面活性剤であることは明らかであるから、この洗髪剤における(III)／(Ｉ)＋(II)、(Ｉ)＋(II)及び(III)を算定すると、それぞれ０.０１６、１２.５、０.２となり、界面活性剤と高級脂肪酸の重量比及び高級脂肪酸の配合量が本件発明より小さいものである。
　同じく岡本が提出した甲第２号証（特開昭６０−１９７６１４号公報、以下、刊行物４という。）には、
　　a.ベタイン１〜１２重量％、
　　b.アニオン界面活性剤として、……から選ばれた１種以上及びアルキル硫酸アルカリ金属塩の混合物１〜１０重量％、
　　c.……から選ばれた１種以上の非イオン性界面活性剤１〜３６重量％、を含有することを特徴とする低刺激性シャンプー組成物（特許請求の範囲第１項）が記載され、所望成分について、加脂剤としてオレイルアルコール……イソステアリン酸など（４頁左下欄）が記載され、表２に実施例２、７、８及び１０に両性界面活性剤であるベタイン（それぞれの実施例での配合量は、４.５、４.５、１２.０、４.６重量％である。）、アニオン界面活性剤（１３.４、１８.２、３６.０、１７.０）及びイソステアリン酸を０.３重量％配合したシャンプーの処方例が記載されている。各実施例の(III)／(Ｉ)＋(II)を計算すると、０.０１７、０.０１３、０.００６、０.０１４となり、（III）は０.３重量％である。すなわち、(III)／(Ｉ)＋(II)及び(III)が、本件発明のものより小さいものである。
　同甲第３号証（特開昭５９−５８１００号公報、以下刊行物５という。）には、身体用液状洗浄剤に関する発明が記載されているが、遊離の高級脂肪酸を配合することは全く記載されていない。すなわち、(III)及び(III)／(Ｉ)＋(II)は０である。
　同甲第４号証（稲葉他１名編著「新版脂肪酸化学」幸書房、昭和５６年発行、１１１〜１１８頁、以下、刊行物６という。）及び同甲第５号証（堀口著「新界面活性剤」三共出版株式会社、昭和５０年発行、４７、５１及び７１〜７８頁、以下、刊行物７という。）には、セッケンは弱酸の強塩基塩であり、水中で加水分解し、一部脂肪酸酸を生成することが記載されているが、他の界面活性剤と併用することも、併用した場合の作用効果等については何等記載されていない。
　まず、高級脂肪酸の配合量(III)について検討する。
　本件発明の高級脂肪酸に包含される脂肪酸（オレイン酸又はイソステアリン酸）が配合された刊行物３〜４に記載の洗浄料では、上記に摘示したように、特定の配合量(III)が記載されているのであって、幅のある配合量の範囲が記載されているわけでない。そして、そして、これらの（III）は本件発明の（III）より小さい値であって、本件発明の範囲と重複するところはない。また、刊行物１には洗浄料にオレイン酸を配合した意味は全く記載されていないし、刊行物３にも記載されていない。刊行物４のイソステアリン酸は加脂剤として配合する旨が記載されているものの、加脂剤として挙げられている多数の化合物中に高級脂肪酸はイソステアリン酸のみであるから、この記載をもって直鎖、分岐鎖、飽和、不飽和のいずれの高級脂肪酸も加脂剤としての作用をもつものとして記載されているとは認められない。
　そうすると、刊行物１におけるその作用が不明なオレイン酸をより多く配合するとか、又はオレイン酸に代えて加脂剤であるイソステアリン酸を用い、かつ、配合量より多くすることは、刊行物３〜５に何の記載も示唆もないのであるから、これらの記載からは当業者が容易に想到できるものではない。
　次に、(III)／(Ｉ)＋(II)についてみると、(III)を大きくすればその値は大きくなることは明らかであるが、前に述べたように、(III)を大きくすることは当業者が容易に想到できるものでないから、(III)／(Ｉ)＋(II)をより大きくすることは当業者が容易に想到できるものではない。
　ところで、本件発明は、特許明細書の表１〜表４をみると、本件発明における高級脂肪酸であるオレイン酸を配合した洗浄料が、本件発明には含まれない直鎖の高級脂肪酸であるラウリン酸又はミリスチン酸を配合したものより、安定性等の効果に優れ、また、(III)／(Ｉ)＋(II)、(Ｉ)＋(II)を、それぞれ、０.０５〜０.５，８〜３０重量％、０.５〜３重量％と限定した洗浄料が、それを外れるものより顕著な効果を奏することが示されているから、本件発明は、特許請求の範囲で限定する条件を満足することによって顕著な効果を奏したものである。
　したがって、本件発明は、刊行物１〜７に記載された発明に基づいて当業者が容易に発明をすることができたものとは認められない。
　
４．むすび
　以上のとおりであるから、本件発明が特許法第２９条第１項第３号又は第２９条第２項に違反して特許されたものではない。
　また、本件特許については、他に取消理由を発見しない。
　よって、結論のとおり決定する。
【異議決定日】
平成１３年８月１６日（２００１．８．１６）
【訂正の要旨】
訂正事項１
特許請求の範囲の減縮を目的として、特許請求の範囲の
「【請求項１】（Ｉ）陰イオン性界面活性剤の一種又は二種以上と、（ＩＩ）両性界面活性剤及び半極性界面活性剤からなる群から選ばれる一種又は二種以上と、（ＩＩＩ）下記一般式
Ｒ１ＣＯＯＨ
（ここでＲ１は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを含有することを特徴とする皮膚洗浄料。
　【請求項２】請求項（１）において、高級脂肪酸と、陰イオン性界面活性剤＋両性界面活性剤及び半極性界面活性剤からなる群から選ばれる一種又は二種以上との重量比（ＩＩＩ）／（Ｉ）＋（ＩＩ）が０．００２〜１である皮膚洗浄料。
　【請求項３】請求項（１）において、陰イオン性界面活性剤と、両性界面活性剤及び半極性界面活性剤からなる群から選ばれる一種又は二種以上との総配合量（Ｉ）＋（ＩＩ）が５〜５０重量％、高級脂肪酸の配合量（ＩＩＩ）が０．１〜５重量％である皮膚洗浄料。」を
「【請求項１】（Ｉ）陰イオン性界面活性剤の一種又は二種以上と、（ＩＩ）両性界面活性剤及び半極性界面活性剤からなる群から選ばれる一種又は二種以上と、（ＩＩＩ）下記一般式
Ｒ１ＣＯＯＨ
（ここでＲ１は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを含有し、
　高級脂肪酸と、陰イオン性界面活性剤＋両性界面活性剤及び半極性界面活性剤からなる群から選ばれる一種又は二種以上との重量比（ＩＩＩ）／（Ｉ）＋（ＩＩ）が０．０５〜０．５であり、陰イオン性界面活性剤と、両性界面活性剤及び半極性界面活性剤からなる群から選ばれる一種又は二種以上との総配合量（Ｉ）＋（ＩＩ）が８〜３０重量％であり、高級脂肪酸の配合量（ＩＩＩ）が０．５〜３重量％であることを特徴とする皮膚洗浄料。」と訂正し、
訂正事項２
　明りようでない記載の釈明を目的として、願書に添付された明細書（以下、特許明細書という。）【０００５】（特許掲載公報第３欄３３〜４３行）の
「すなわち本発明の請求項（１）は、（Ｉ）陰イオン性界面活性剤の一種又は二種以上と、（ＩＩ）両性界面活性剤及び半極性界面活性剤からなる群から選ばれる一種又は二種以上と、（ＩＩＩ）下記一般式
Ｒ１ＣＯＯＨ
（ここでＲ１は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを含有することを特徴とする皮膚洗浄料である。」を、
「すなわち本発明の請求項（１）は、（Ｉ）陰イオン性界面活性剤の一種又は二種以上と、（ＩＩ）両性界面活性剤及び半極性界面活性剤からなる群から選ばれる一種又は二種以上と、（ＩＩＩ）下記一般式
Ｒ１ＣＯＯＨ
（ここでＲ１は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを含有し、
　高級脂肪酸と、陰イオン性界面活性剤＋両性界面活性剤及び半極性界面活性剤からなる群から選ばれる一種又は二種以上との重量比（ＩＩＩ）／（Ｉ）＋（ＩＩ）が０．０５〜０．５であり、陰イオン性界面活性剤と、両性界面活性剤及び半極性界面活性剤からなる群から選ばれる一種又は二種以上との総配合量（Ｉ）＋（ＩＩ）が８〜３０重量％であり、高級脂肪酸の配合量（ＩＩＩ）が０．５〜３重量％であることを特徴とする皮膚洗浄料である。」
と訂正するものである。
（５４）【発明の名称】
皮膚洗浄料
（５７）【特許請求の範囲】
　【請求項１】　（Ｉ）陰イオン性界面活性剤の一種又は二種以上と、（ＩＩ）両性界面活性剤及び半極性界面活性剤からなる群から選ばれる一種又は二種以上と、（ＩＩＩ）下記一般式
Ｒ１ＣＯＯＨ
（ここでＲ１は、平均炭素数７〜２５の直鎖又は分岐鎖又は水酸基を有する不飽和炭化水素、または平均炭素数７〜２５の分岐鎖を有する飽和炭化水素である。）で表される高級脂肪酸の一種又は二種以上とを
含有し、
　高級脂肪酸と、陰イオン性界面活性材＋両性界面活性剤及び半極性界面活性剤からなる群から選ばれる一種又は二種以上との重量比（ＩＩＩ）／（Ｉ）＋（ＩＩ）が０．０５〜０．５であり、陰イオン性界面活性材と、両性界面活性剤及び半極性界面活性剤からなる群から選ばれる一種又は二種以上との総配合量（Ｉ）＋（ＩＩ）が８〜３０重量％であり、高級脂肪酸の配合量（ＩＩＩ）が０．５〜３重量％である
【発明の詳細な説明】
　【０００１】
　【産業上の利用分野】
　本発明は、陰イオン性界面活性剤と、両性界面活性剤及び／又は半極性界面活性剤と、高級脂肪酸とを含有することを特徴とする皮膚洗浄料に関し、さらに詳しくは、皮膚の洗浄に際し、洗浄中べたつかず、乾燥後皮膚がかさつかず、適度な粘性を持ち、かつ安定性に優れる皮膚洗浄料に関する。
　【０００２】
　【従来の技術】
　従来、ボディーシャンプー、洗顔料等の皮膚洗浄料の主成分は、石鹸であった。しかし、近年石鹸の皮膚に対する刺激等が指摘されるようになり、例えば安全性の高いとされているアルキロイルアルキルタウリン塩等の生体関連の陰イオン界面活性剤等が用いられるようになってきた。しかしながら、このような陰イオン界面活性剤だけであると、粘性を持たすことができないことから起こる「たれ」等の問題があり、両性界面活性剤が併用されているのが一般的である。実際、両性界面活性剤を併用することにより、系に粘性を与えることが知られている。しかし、このものは皮膚洗浄料の使用感としては洗浄中肌がべたつき、乾燥後肌がかさつくという欠点を有している。
　【０００３】
　これに対して本発明者らは、この系に種々の添加成分を加え使用性改善の検討を行なった結果、油分の配合が洗浄中のべたつきをなくし、しかも乾燥後かさつきを与えないことを見出した。しかしながら、油分を陰イオン界面活性剤と両性界面活性剤の併用系に加えた場合粘性の著しい低下あるいは分離等安定性を著しく悪くするという欠点があった。そのため未だ洗浄中べたつかず、乾燥後かさつかず、適度な粘性を持ち、かつ安定性に優れた皮膚洗浄料は得られていないのが現状である。
　【０００４】
　【発明が解決しようとする課題】
　本発明者らは、上記事情に鑑み、さらに鋭意研究をかさねた結果、陰イオン性界面活性剤と、両性界面活性剤及び／又は半極性界面活性剤と、高級脂肪酸とを組合せた場合、洗浄中肌がべたつかず、乾燥後肌がかさつかず、適度な粘性を持ち、かつ安定性に優れた皮膚洗浄料が得られることを見出し本発明を完成するに至った。
　【０００５】
　【課題を解決するための手段】
　すなわち本発明の請求項（１）は、（Ｉ）陰イオン性界面活性剤の一種又は二種以上と、（ＩＩ）両性界面活性剤及び半極性界面活性剤からなる群から選ばれる一種又は二種以上と、（ＩＩＩ）下記一般式
Ｒ１ＣＯＯＨ
（ここでＲ１は、平均炭素数７〜２５の直鎖又は分岐鎖又は水酸基を有する不飽和炭化水素、または平均炭素数７〜２５の分岐鎖を有する飽和炭化水素である。）で表わされる高給脂肪酸の一種または二種以上とを
含有し、
　高級脂肪酸と、陰イオン性界面活性材＋両性界面活性剤及び半極性界面活性剤からなる群から選ばれる一種又は二種以上との重量比（ＩＩＩ）／（Ｉ）＋（ＩＩ）が０．０５〜０．５であり、陰イオン性界面活性材と、両性界面活性剤及び半極性界面活性剤からなる群から選ばれる一種又は二種以上との総配合量（Ｉ）＋（ＩＩ）が８〜３０重量％であり、高級脂肪酸の配合量（ＩＩＩ）が０．５〜３重量％である
　【０００６】
　以下本発明の構成について詳述する。
　【０００７】
　本発明で用いられる陰イオン性界面活性剤としては、ポリオキシアルキレンアルキルエーテル硫酸エステル塩、アルキロイルアルキルタウリン塩、リン酸エステル系、Ｎ−アシルアミノ酸塩等が挙げられる。これらの中でアルキロイルアルキルタウリン塩のものが安全性に非常に優れるので特に好ましい。
　【０００８】
　ポリオキシアルキレンアルキルエーテル硫酸エステル塩は下記一般式
　【化１】
（式中、Ｒ２は炭素数８〜１６のアルキル基、Ｒ３はＨ又はＣＨ３、ｍは酸化アルキレンの平均付加モル数で１〜６、Ｍはアルカリ金属、アンモニウム又は有機アミンを表す。）で表されるが、この界面活性剤は炭素数８〜１６の脂肪族飽和アルコールに、アルカリ触媒の存在下、酸化エチレン又は酸化プロピレンを平均１〜６モル付加させて、まずポリオキシアルキレンアルキルエーテルを調製し、次いでこれを常法通りクロルスルホン酸又は無水硫酸で硫酸化後、アルカリ金属水酸化物、アンモニア又は有機アミンで中和することによって製造することができる。
　【０００９】
　本発明にとって好適なポリオキシアルキレンアルキルエーテル硫酸エステル塩としては、天然のラウリルアルコールに平均３モルの酸化エチレンを付加させたアルキルエーテルの硫酸エステル塩、オキソ合成で得られたＣ１２〜Ｃ１３の脂肪族飽和アルコールに平均２モルの酸化エチレンを付加させたアルキルエーテルの硫酸エステル塩などが例示される。
　【００１０】
　アルキロイルアルキルタウリン塩型陰イオン界面活性剤は下記一般式
　【化２】
（式中、Ｒ４は平均炭素原子数７ないし１９のアルキル基、アルケニル基、又はヒドロキシアルキル基、Ｒ５は平均炭素原子数１ないし３の低級アルキル基、Ｍはアルカリ金属又は有機アミン類を表す。）で表され、具体例を挙げるならば例えば、アルキロイル基ＲＣＯ−としては、ラウロイル、パルミトイル、ステアロイル、オレオイル、ヤシ脂肪酸からのココイル基（Ｒの炭素数が７〜１７の間に分布しているアルキロイル基）等が、アルキル基Ｒとしてはメチル、エチル、プロピル基が、そして対イオとしては、リチウム、カリウム、ナトリウム、トリエタノールアミン、ジエタノールアミン、モノエタノールアミン等が挙げられる。
　【００１１】
　リン酸エステル系陰イオン界面活性剤の具体例を挙げるならば、オレイルリン酸及びそのトリエタノールアミン塩、ポリオキシエチレン（３モル付加）イソステアリルリン酸及びそのナトリウム塩、ヤシ脂肪酸モノエタノールアミドエチルポリオキシエチレニル（２モル付加）リン酸及びそのナトリウム塩、ポリオキシエチレン（３モル付加）ラウリルリン酸及びそのナトリウム塩、ポリオキシプロピレン（２モル付加）ラウリルリン酸及びそのトリエタノールアミン塩、ポリオキシエチレン（２モル付加）ポリオキシプロピレン（２モル付加）ラウリルリン酸及びそのナトリウム塩、ジ［ポリオキシエチレン（３モル付加）ラウリル］リン酸及びそのトリエタノールアミン塩等が挙げられる。
　【００１２】
　Ｎ−アシルアミノ酸塩のアシル塩としては、ラウロイル、ミリストイル、パルミトイル基等であり、アミノ酸はグルタミン酸、グリシン、β−アラニン等であり、またこれらＮ−アシルアミノ酸の塩としては、ナトリウム、リチウム、モノエタノールアミン、ジエタノールアミン等の各塩である。尚、Ｎ−アシル−Ｎ−アルキルアミノ酸塩も本発明のＮ−アシルアミノ酸塩に含めることができる。この場合、アルキル基はメチル、エチル、プロピル、イソプロピル基等である。好ましいＮ−アシルアミノ酸塩としては、Ｎ−ラウロイルグルタミン酸、Ｎ−ミリストイルグルタミン酸、Ｎ−ミリストイル−β−アラニン、Ｎ−パルミトイル−β−アラニン等のＮ−アシルアミノ酸塩、及びＮ−ラウロイル−Ｎ−イソプロピルグリシン、Ｎ−ラウロイルザルコシン、Ｎ−ミリストイルザルコシン、Ｎ−パルミトイルザルコシン、Ｎ−ラウロイル−Ｎ−メチル−β−アラニン等のＮ−アシル−Ｎ−アルキルアミノ酸のナトリウム、リチウム、モノエタノールアミン、ジエタノールアミン等の各塩などが例示される。
　【００１３】
　本発明で用いられる両性界面活性剤又は半極性界面活性剤は、通常の化粧品基剤等に用いられる両性界面活性剤又は半極性界面活性剤の全てを適用することができる。具体例を挙げるならば、
　【００１４】
　【化３】
で表されるアミドベタイン型両性界面活性剤［市販品としてレボン２０００（三洋化成）、アノンＢＤＦ（日本油脂）等が該当］あるいは
　【００１５】
　【化４】
で表されるアミドスルフォベタイン型両性界面活性剤［市販品としてロンザイン−ＣＳ（ロンザ）、ミラタインＣＢＳ（ミラノール）等が該当］あるいは
　【００１６】
　【化５】
で表されるベタイン型両性界面活性剤［市販品としてアノンＢＬ（日本油脂）、デハイントンＡＢ−３０（ヘンケル）等が該当］あるいは
　【００１７】
　【化６】
で表されるスルフォベタイン型両性界面活性剤［市販品としてロンザイン１２ＣＳ（ロンザ）等が該当］あるいは
　【００１８】
　【化７】
で表されるイミダゾリニウム型両性界面活性剤［市販品としてオバゾリン６６２−Ｎ（東邦化学）、スワノールＡＭ−１０１、スワノールＡＭ−１０２ＥＸ（日光ケミカルズ）、アノンＧＬＭ（日本油脂）等が該当］等が例示される。
　【００１９】
　又、半極性界面活性剤としては、一般式
　【化８】
で表される第三級アミンオキサイド型半極性界面活性剤［市販品としてユニセーフＡ−ＬＭ（日本油脂）、ワンダミンＯＸ−１００（新日本理化）等が該当］等が例示される。
　【００２０】
　（上記一般式中、Ｒ６は平均炭素原子数９ないし１７のアルキル基又はアルケニル基、Ｒ７は平均炭素原子数１０ないし１８のアルキル基又はアルケニル基を表す。ｘは２ないし４の整数であり、ｙは０ないし３の整数であり、ｚは１または２の整数である。）本発明においては、これら両性界面活性剤又は半極性界面活性剤のうちの任意の一種又は二種以上が選ばれて用いられる。
　【００２１】
　本発明の陰イオン性界面活性剤と、両性界面活性剤及び半極性界面活性剤からなる群から選ばれる一種又は二種以上との総配合量（Ｉ）＋（ＩＩ）は、皮膚洗浄料全量中、５〜５０重量％、好ましくは８〜３０重量％である。５重量％未満の配合量では、界面活性剤が不足するため適度な粘性を得ることができず、５０重量％を超える配合量であると液安定性が損なわれ、濁りや分離が生じるため好ましくない。
　【００２２】
　本発明で用いられる高級脂肪酸は、通常の化粧品基剤等に用いられる高級脂肪酸の全てを適用することができる。具体例を挙げるならば、２−パルミトレイン酸、ペトロセリン酸、オレイン酸、エライジン酸、リシノール酸、リノール酸、リノエライジン酸、リノレン酸、アラキドン酸等の不飽和脂肪酸、イソステアリン酸等の分岐脂肪
酸が
　【００２３】
　本発明の高級脂肪酸と、陰イオン性界面活性剤＋両性界面活性剤及び半極性界面活性剤からなる群から選ばれる一種又は二種以上との重量比（ＩＩＩ）／（Ｉ）＋（ＩＩ）は、０．００２〜１範囲、好ましくは０．０５〜０．５の範囲である。この組成物において上記重量比が０．００２未満では、洗浄中肌がべたつき、乾燥後肌がかさつき、適度な粘性を得ることができず、１を超えると液安定性が損なわれ、濁りや分離が生じるため好ましくない。
　【００２４】
　本発明においては、上記必須成分に加えて、他の常用されている成分や添加剤を配合することも可能である。即ち、高級アルコール、シリコーン油、流動パラフィン、エステル油等の油分、メチルセルロース、ヒドロキシメチルセルロース等の水溶性高分子、カチオン変性セルロースエーテル誘導体［ポリマーＪＲ（ユニオンカーバイトコーポレーション社製）］、ポリグリコール／ポリアミン縮合物［ポリコートＨ（ヘンケル白水社製）］、ポリジメチルジアリルアンモニウムハライド［マーコート１００（メルク社製）］、ジメチルジアリルアンモニウムハライドとアクリルアミドのコポリマー［マーコート５５０（メルク社製）等のカチオン性高分子、ポリオキシエチレン硬化ヒマシ油、ポリオキシエチレンアルキルエーテル等の非イオン界面活性剤、ジステアリン酸エチレングリコール等のラスター剤、動植物の天然エキス及びその誘導体、クエン酸、乳酸等の有機酸、塩化ナトリウム等の無機塩、香料、色剤、防腐剤、キレート剤、紫外線吸収剤等を本発明の効果を損なわない範囲で適宜配合できる。さらに、１，３−ブチレングリコール、ジプロピレングリコール等の保湿剤の配合は、系の高温での安定性を良好にするため好ましい。
　【００２５】
　【発明の効果】
　本発明は、洗浄中肌がべたつかず、乾燥後肌がかさつかず、適度な粘性を持ち、かつ安定性に優れた皮膚洗浄料である。
　【００２６】
　【実施例】
　次に実施例によって本発明を更に詳細に説明する。本発明はこれにより限定されるものではない。配合量は、重量％である。尚、効果の測定は以下の試験法、評価法によった。
　【００２７】
　（１）「べたつき」評価法調製した皮膚洗浄料１０ｇで身体を洗浄し、洗浄中の「べたつき」をテスター１０名の触感によって判定し、「べたつき」がなければ○、やや「べたつき」がなければ△、「べたつき」があれば×として評価した。
　【００２８】
　（２）「かさつき」評価法調製した皮膚洗浄料１０ｇで身体を洗浄し、乾燥後の「かさつき」をテスター１０名の触感によって判定し、「かさつき」がなければ○、やや「かさつき」がなければ△、「かさつき」があれば×として評価した。
　【００２９】
　（３）粘性評価法
　Ｂ型粘度計を用い、評価は以下のようにおこなった。（３０℃）
　　　○・・・粘度が５００ｃｐｓ以上
　　　△・・・粘度が１００ｃｐｓ以上５００ｃｐｓ未満
　　　×・・・粘度が１００ｃｐｓ未満
　【００３０】
　（４）安定性評価法
　調製した洗浄剤組成物を常温で一ヶ月間放置した後の状態を目視により以下のように評価した。
　　　○・・・透明均一
　　　△・・・濁り
　　　×・・・分離
　特に○の中でも低温安定性（０℃１ヵ月放置後の状態を評価）の良いものを◎とした。
　【００３１】
　実施例１〜１６，比較例１〜２２
　表１〜４に示す皮膚洗浄料を調製し、「べたつき」、「かさつき」、粘性、安定性を評価した。
　【表１】
　【００３２】
　【表２】
　【００３３】
　【表３】
　【００３４】
　【表４】
　【００３５】
　表１〜４から明らかなように本発明の皮膚洗浄料は洗浄中べたつかず、乾燥後かさつかず、適度な粘性を持ち、かつ安定性に優れ、皮膚刺激性の低い皮膚洗浄料であった。
　【００３６】
実施例１７　ボディーシャンプー
　次の配合組成よりなるボディーシャンプーを常法により、調製した。
　　　ポリオキシエチレン（２モル付加）
　　　アルキル（１２，１３）エーテル硫酸
　　　トリエタノールアミン　　　　　　　　　　　　　　　１５
　　　オバゾリン６６２Ｎ（３０重量％水溶液）　　　　　　１７
　　　ヤシ脂肪酸アミドプロピルジメチル
　　　　アミノ酢酸ベタイン　　　　　　　　　　　　　　　　１
　　　エルカ酸　　　　　　　　　　　　　　　　　　　　　　２
　　　ヤシ脂肪酸ジエタノールアミド　　　　　　　　　　　　２
　　　１，３−ブチレングリコール　　　　　　　　　　　　　２
　　　香料　　　　　　　　　　　　　　　　　　　　　　　　適量
　　　イオン交換水　　　　　　　　　　　　　　　　　　　　残余
　【００３７】
実施例１８　透明ゲル状洗顔料
　次の配合組成よりなる透明ゲル状皮膚洗浄料を常法により、調製した。
　　　ポリオキシエチレン（２モル付加）
　　　　アルキル（１２，１３）エーテル硫酸ナトリウム　　１６
　　　ラウリルジメチルアミノ酢酸ベタイン　　　　　　　　　４
　　　オレイン酸　　　　　　　　　　　　　　　　　　　　　１
　　　ジプロピレングリコール　　　　　　　　　　　　　　　２
　　　香料　　　　　　　　　　　　　　　　　　　　　　　　適量
　　　イオン交換水　　　　　　　　　　　　　　　　　　　　残余
　【００３８】
実施例１９　ボディーシャンプー
　次の配合組成よりなるボディーシャンプーを常法により、調製した。
　　　ミリストイルメチルタウリン−Ｋ　　　　　　　　　　１５
　　　ヤシ脂肪酸アミドプロピルジメチル　　　　　　　　　　５
　　　アミノ酢酸ベタインエルカ酸　　　　　　　　　　　　　２
　　　１，３−ブチレングリコール　　　　　　　　　　　　　２
　　　香料　　　　　　　　　　　　　　　　　　　　　　　　適量
　　　イオン交換水　　　　　　　　　　　　　　　　　　　　残余
　【００３９】
実施例２０　透明ゲル状洗顔料
　次の配合組成よりなる透明ゲル状皮膚洗浄料を常法により、調製した。
　　　ラウロイルメチルタウリン−Ｎａ　　　　　　　　　　　８
　　　オバゾリン６６７−Ｎ（３０重量％水溶液）　　　　　６７
　　　オレイン酸　　　　　　　　　　　　　　　　　　　　　２
　　　グリセリン　　　　　　　　　　　　　　　　　　　　　１
　　　香料　　　　　　　　　　　　　　　　　　　　　　　　適量
　　　イオン交換水　　　　　　　　　　　　　　　　　　　　残余
　【００４０】
実施例２１　ボディーシャンプー
　次の配合組成よりなるボディーシャンプーを常法により、調製した。
　　　ポリオキシエチレン（２モル付加）
　　　ラウリルリン酸ナトリウム　　　　　　　　　　　　　１５
　　　オバゾリン６６２Ｎ（３０重量％水溶液）　　　　　　１７
　　　ヤシ脂肪酸アミドプロピルジメチル
　　　　アミノ酢酸ベタイン　　　　　　　　　　　　　　　　１
　　　エルカ酸　　　　　　　　　　　　　　　　　　　　　　２
　　　ヤシ脂肪酸ジエタノールアミド　　　　　　　　　　　　２
　　　１，３−ブチレングリコール　　　　　　　　　　　　　２
　　　香料　　　　　　　　　　　　　　　　　　　　　　　　適量
　　　イオン交換水　　　　　　　　　　　　　　　　　　　　残余
　【００４１】
実施例２２　透明ゲル状洗顔料
　次の配合組成よりなる透明ゲル状皮膚洗浄料を常法により、調製した。
　　　ポリオキシエチレン（２モル付加）
　　　　ラウリルリン酸ナトリウム　　　　　　　　　　　　　８
　　　ラウリルジメチルアミノ酢酸ベタイン　　　　　　　　　４
　　　オレイン酸　　　　　　　　　　　　　　　　　　　　　１
　　　ジプロピレングリコール　　　　　　　　　　　　　　　２
　　　香料　　　　　　　　　　　　　　　　　　　　　　　　適量
　　　イオン交換水　　　　　　　　　　　　　　　　　　　　残余
　【００４２】
実施例２３　ボディーシャンプー
　次の配合組成よりなるボディーシャンプーを常法により、調製した。
　　　Ｎ−ラウロイル−Ｎ−メチル−β−
　　　　アラニンナトリウム　　　　　　　　　　　　　　　１０
　　　Ｎ−パルミトイルグルタミン酸カリウム　　　　　　　　５
　　　オバゾリン６６２Ｎ（３０重量％水溶液）　　　　　　１７
　　　ヤシ脂肪酸アミドプロピルジメチル
　　　　アミノ酢酸ベタイン　　　　　　　　　　　　　　　　１
　　　エルカ酸　　　　　　　　　　　　　　　　　　　　　　２
　　　ヤシ脂肪酸ジエタノールアミド　　　　　　　　　　　　２
　　　１，３−ブチレングリコール　　　　　　　　　　　　　２
　　　香料　　　　　　　　　　　　　　　　　　　　　　　　適量
　　　イオン交換水　　　　　　　　　　　　　　　　　　　　残余
　【００４３】
実施例２４　透明ゲル状洗顔料
　次の配合組成よりなる透明ゲル状皮膚洗浄料を常法により、調製した。
　　　Ｎ−ラウロイルザルコシン
　　　　トリエタノールアミン　　　　　　　　　　　　　　　５
　　　ラウリルジメチルアミノ酢酸ベタイン　　　　　　　　　４
　　　オレイン酸　　　　　　　　　　　　　　　　　　　　　１
　　　ジプロピレングリコール　　　　　　　　　　　　　　　２
　　　香料　　　　　　　　　　　　　　　　　　　　　　　　適量
　　　イオン交換水　　　　　　　　　　　　　　　　　　　　残余
　【００４４】
　実施例１７〜２４の皮膚洗浄料は、洗浄中べたつかず、乾燥後かさつかず、適度な粘性を持ち、かつ安定性に優れた皮膚洗浄料であり、不飽和脂肪酸を使用したため低温安定性に優れ、０℃一ヶ月放置後の０℃における状態も非常に良好であった。